(57)【要約】【課題】簡単なインクミスト吸引機構部を備えたインクジェット記録装置を提供する。【解決手段】ヘッドブロック２１内に設けた複数のノズル２１ｎから記録紙ＰＡにインク滴ＩＫを吐出するインクジェット記録装置１０において、複数のノズル２１ｎからインク滴ＩＫ以外に吐出されたインクミストＩＭを通過させる複数のインクミスト通路ＩＭＴが各インク色に対応したヘッドブロック２１の主走査方向側面の側方にそれぞれ形成されたヘッドホルダ２２と、複数のインクミスト通路ＩＭＴのインクミスト流れ方向の下流側に長尺なダクト孔４１ａが設置されたインクミスト吸引用ダクト４１と、インクミスト吸引用ダクト４１のうちで記録紙搬送方向先端部４１ｄ側に取り付けられ、且つ、複数のインクミスト通路ＩＭＴを通ったインクミストＩＭをダクト孔４１ａ内に吸引させるインクミスト吸引部（４３）と、を備えた。【選択図】図１
2011020339.tif 000002
【特許請求の範囲】
【請求項１】
複数のインク色に対応したヘッドブロックが主走査方向に設けられ、
さらに、前記ヘッドブロックが副走査方向に間隔を離してライン上に複数設けられ、
前記ヘッドブロック内に設けた複数のノズルから副走査方向に搬送される記録紙にインク滴を吐出するインクジェット記録装置であって、
前記複数のノズルから前記インク滴以外に吐出されたインクミストを通過させる複数のインクミスト通路が各インク色に対応した前記ヘッドブロックの主走査方向側面の側方にそれぞれ形成されたヘッドホルダと、
前記複数のインクミスト通路のインクミスト流れ方向の下流側に長尺なダクト孔が設置され、且つ、前記複数のインクミスト通路と対向する前記ダクト孔の側面に少なくとも一つ以上のインクミスト吸引孔が形成されたインクミスト吸引用ダクトと、
前記インクミスト吸引用ダクトのうちで記録紙搬送方向先端部側に取り付けられ、且つ、前記複数のインクミスト通路を通った前記インクミストを前記少なくとも一つ以上のインクミスト吸引孔を介して前記ダクト孔内に吸引させるインクミスト吸引部と、
を備えたことを特徴とするインクジェット記録装置。
【請求項２】
前記少なくとも一つ以上のインクミスト吸引孔は、前記ダクト孔の側面のうちで各インクミスト通路と対向した部位にそれぞれ形成されていることを特徴とする請求項１記載のインクジェット記録装置。
【請求項３】
前記インクミスト吸引用ダクトの前記記録紙搬送方向先端部と前記インクミスト吸引部のインクミスト吸引用ファンとの間に、前記インクミストを回収するインクミスト回収用フィルタを着脱自在に取り付けたことを特徴とする請求項１記載のインクジェット記録装置。
【請求項４】
前記ダクト孔の側面の外側に、前記インクミストを回収するインクミスト回収用フィルタを着脱自在に取り付けたことを特徴とする請求項２記載のインクジェット記録装置。
【請求項５】
複数のインク色に対応したヘッドブロックが主走査方向に設けられ、
さらに、前記ヘッドブロックが副走査方向に間隔を離してライン上に複数設けられ、
前記ヘッドブロック内に設けた複数のノズルから副走査方向に搬送される記録紙にインク滴を吐出するインクジェット記録装置であって、
前記ヘッドブロックの主走査方向側面の側方に、前記複数のノズルから前記インク滴以外に吐出されたインクミストが通過可能に形成されたヘッドホルダと、
前記ヘッドホルダのインクミスト流れ方向の下流側に形成され、前記インクミストを吸引するインクミスト吸引用ダクトと、
を備えたことを特徴とするインクジェット記録装置。
【発明の詳細な説明】
【技術分野】
【０００１】
本発明は、主査方向に沿ったヘッドブロックを複数のインク色に対応して副走査方向に間隔を離して配列された複数のライン上に配置してヘッドホルダに取り付けたときに、ヘッドブロック内に設けた複数のノズルからインク滴以外に吐出されたインクミストを吸引できるインクミスト吸引機構部を備えたインクジェット記録装置に関するものである。
【背景技術】
【０００２】
一般的に、インクジェット方式を適用したインクジェット記録装置は、画像情報や文字情報などによる印刷データに基いてインクジェットヘッドのノズルからインク滴を記録紙に向けて吐出させて画像や文字などを記録（印刷）することができ、しかも、多色のインクを使用して記録紙上に印刷データをカラーで記録（印刷）できるので、家庭用や業務用のプリンタとして多用されている。
【０００３】
この種のインクジェット記録装置の一例として、複数のノズルを記録紙への主走査方向となるライン方向に沿って有するヘッドブロックが複数配置されたライン型インクジェットヘッドを用い、このライン型インクジェットヘッドを固定して記録紙を主走査方向と直交する副走査方向に送ることにより、印刷データを記録紙上に少なくとも１ライン以上一括して高速度にフルライン記録できるものがある。
【０００４】
ところで、ライン型インクジェットヘッドを用いて印刷データを記録紙上に記録する際に、複数のノズルから吐出される主滴となるインク滴の周りに主滴以外の細かい霧状のインクミストが発生することがあり、このインクミストが記録紙上に付着すれば印刷品位を低下させると共に、インクミストが周囲のヘッドブロックや装置の部材に付着すればヘッドブロックや装置の部材を汚してしまうだけでなく、ヘッドブロックや装置が誤動作するおそれもある。
【０００５】
上記のような問題点を解決するために、フルライン型の記録ヘッドを用いたインクジェット記録装置において、インクミスト吸引機構部を備えたものがある（例えば、特許文献１参照）。
【０００６】
図４に示した従来のインクジェット記録装置１００は、特許文献１に開示されているものであり、ここでは特許文献１を参照して簡略に説明する。
【０００７】
図４に示した如く、従来のインクジェット記録装置１００では、記録ヘッド１０１が記録紙ＰＡの横幅Ｂの方向に長尺に形成されてフルラインタイプに構成されている。
【０００８】
また、記録ヘッド１０１の長手方向の一方の側面１０１ａに沿って加湿空気ダクト１０２が設けられており、且つ、この加湿空気ダクト１０２の上部一端側に加湿ファン１０３及び給水材１０４が取り付けられ、更に、加湿空気ダクト１０２の上部に給水部１０５が設けられていると共に、加湿空気ダクト１０２の下部他端側で記録ヘッド１０１の吐出面口１０１ｃの近傍に排気口１０２ａが形成されている。
【０００９】
また、記録ヘッド１０１の長手方向の一方の側面１０１ａと対向した他方の側面１０１ｂに沿って吸気ダクト１０６が設けられており、且つ、この吸気ダクト１０６の上部一端側に吸気ファン１０７及び回収フィルタ１０８が取り付けられていると共に、吸気ダクト１０６の下部他端側で記録ヘッド１０１の吐出面口１０１ｃの近傍に吸気口１０６ａが形成されている。
【００１０】
上記のように構成された従来のインクジェット記録装置１００において、インクミスト吸引機構部についてのみ述べると、記録ヘッド１０１の吐出面口１０１ｃから吐出されるインク滴（図示せず）を記録紙ＰＡ上に吐出させて印刷する際中に、記録ヘッド１０１の吐出面口１０１ｃからインク滴以外に吐出されたインクミスト（図示せず）が吸気ファン１０７の吸引力によって吸気ダクト１０６の吸気口１０６ａから吸気ダクト１０６内に吸い込まれ、回収フィルタ１０８を透過する間にインクミストが回収された後に、回収フィルタ１０８を透過した残りが吸気ファン１０７により外部に排出されている。
【先行技術文献】
【特許文献】
【００１１】
【特許文献１】特開２００６−６８９４２号公報
【発明の概要】
【発明が解決しようとする課題】
【００１２】
ところで、特許文献１に開示された従来のインクジェット記録装置１００によれば、記録ヘッド１０１の吐出面口１０１ｃからインク滴以外に吐出されたインクミストを吸気ダクト１０６及び吸気ファン１０７並びに回収フィルタ１０８によって回収することができるものの、記録ヘッド１０１を装置１００内で例えば複数色のインク色に対応して複数取り付ける場合には、複数の記録ヘッド１０１それぞれに吸気ダクト１０６を設けなければならないために、従来のインクジェット記録装置１００が大型化してしまうと共に、吸気ファン１０７，回収フィルタ１０８の数量も増えるので従来のインクジェット記録装置１００が高価なものとなってしまうなどの問題がある。
【００１３】
更に、図５に示した如く、複数の記録ヘッド１０１を記録紙ＰＡの搬送方向と直交するライン方向（主走査方向）に沿って所定のピッチＰで且つ隣り合う記録ヘッド１０１との間に幅Ｗを持ってヘッドホルダ１１０のヘッド取り付け面１１０ａに仮に取り付けて、各記録ヘッド１０１の吐出面口１０１ｃから主滴となるインク滴ＩＫを記録紙ＰＡ上に向けて吐出させる場合に、吐出面口１０１ｃからインク滴ＩＫ以外のインクミストＩＭも吐出されるが、このインクミストＩＭは矢印で示したように記録紙ＰＡの搬送方向に向かい且つヘッドホルダ１１０のヘッド取り付け面１１０ａに向かって吹き上げられるので、装置内部を汚してしまうために、このインクミストＩＭが吹き上げられる流れを無くすことが必要である。
【００１４】
そこで、主査方向に沿ったヘッドブロックを複数のインク色に対応して副走査方向に間隔を離して配列された複数のライン上に配置してヘッドホルダに取り付けたときに、複数のヘッドブロックの各ノズルからインク滴以外に吐出されたインクミストを簡単な構造のインクミスト吸引機構部により吸引でき、且つ、装置を小型化できるインクジェット記録装置を提供することを目的とする。
【課題を解決するための手段】
【００１５】
本発明は上記課題に鑑みてなされたものであり、第１の発明は、複数のインク色に対応したヘッドブロックが主走査方向に設けられ、
さらに、前記ヘッドブロックが副走査方向に間隔を離してライン上に複数設けられ、
前記ヘッドブロック内に設けた複数のノズルから副走査方向に搬送される記録紙にインク滴を吐出するインクジェット記録装置であって、
前記複数のノズルから前記インク滴以外に吐出されたインクミストを通過させる複数のインクミスト通路が各インク色に対応した前記ヘッドブロックの主走査方向側面の側方にそれぞれ形成されたヘッドホルダと、
前記複数のインクミスト通路のインクミスト流れ方向の下流側に長尺なダクト孔が設置され、且つ、前記複数のインクミスト通路と対向する前記ダクト孔の側面に少なくとも一つ以上のインクミスト吸引孔が形成されたインクミスト吸引用ダクトと、
前記インクミスト吸引用ダクトのうちで記録紙搬送方向先端部側に取り付けられ、且つ、前記複数のインクミスト通路を通った前記インクミストを前記少なくとも一つ以上のインクミスト吸引孔を介して前記ダクト孔内に吸引させるインクミスト吸引部と、
を備えたことを特徴とするインクジェット記録装置である。
【００１６】
また、第２の発明は、第１の発明のインクジェット記録装置において、
前記少なくとも一つ以上のインクミスト吸引孔は、前記ダクト孔の側面のうちで各インクミスト通路と対向した部位にそれぞれ形成されていることを特徴とするインクジェット記録装置である。
【００１７】
また、第３の発明は、第１の発明のインクジェット記録装置において、
前記インクミスト吸引用ダクトの前記記録紙搬送方向先端部と前記インクミスト吸引部のインクミスト吸引用ファンとの間に、前記インクミストを回収するインクミスト回収用フィルタを着脱自在に取り付けたことを特徴とするインクジェット記録装置である。
【００１８】
また、第４の発明は、第２の発明のインクジェット記録装置において、
前記ダクト孔の側面の外側に、前記インクミストを回収するインクミスト回収用フィルタを着脱自在に取り付けたことを特徴とするインクジェット記録装置である。
【００１９】
また、第５の発明は、複数のインク色に対応したヘッドブロックが主走査方向に設けられ、
さらに、前記ヘッドブロックが副走査方向に間隔を離してライン上に複数設けられ、
前記ヘッドブロック内に設けた複数のノズルから副走査方向に搬送される記録紙にインク滴を吐出するインクジェット記録装置であって、
前記ヘッドブロックの主走査方向側面の側方に、前記複数のノズルから前記インク滴以外に吐出されたインクミストが通過可能に形成されたヘッドホルダと、
前記ヘッドホルダのインクミスト流れ方向の下流側に形成され、前記インクミストを吸引するインクミスト吸引用ダクトと、
を備えたことを特徴とするインクジェット記録装置である。
【発明の効果】
【００２０】
第１の発明のインクジェット記録装置によると、複数のインク色に対応したヘッドブロックが主走査方向に設けられ、さらに、ヘッドブロックが副走査方向に間隔を離してライン上に複数設けられたインクジェットヘッドを用いた場合に、とくに、ヘッドホルダ上に複数のノズルからインク滴以外に吐出されたインクミストを通過させる複数のインクミスト通路を各インク色に対応したヘッドブロックの主走査方向側面の側方にそれぞれ形成し、且つ、複数のインクミスト通路のインクミスト流れ方向の下流側に長尺なインクミスト吸引用ダクトを設置すると共に、このインクミスト吸引用ダクトのうちで記録紙搬送方向先端部側にインクミスト吸引部を取り付けることで、このインクミスト吸引部により複数のヘッドブロックの各ノズルからインク滴以外に吐出されたインクミストを複数のインクミスト通路を通してインクミスト吸引用ダクトのダクト孔内に吸引することができ、且つ、インクミスト吸引用ダクト及びインクミスト吸引部はそれぞれ１個設ければ良いので、インクミスト吸引機構部を簡単な構造で小型化することができると共に、インクジェット記録装置を安価に提供することができる。
【００２１】
また、第２の発明のインクジェット記録装置によると、少なくとも一つ以上のインクミスト吸引孔は、ダクト孔の側面のうちで各インクミスト通路と対向した部位にそれぞれ形成されているために、上記した第１の発明の効果が得られる他に、各インクミスト通路を通ったインクミストを各インクミスト吸引孔を介してインクミスト吸引用ダクトのダクト孔内に吸い込ませることができる。
【００２２】
また、第３の発明のインクジェット記録装置によると、インクミスト吸引用ダクトの記録紙搬送方向先端部とインクミスト吸引部のインクミスト吸引用ファンとの間に、インクミストを回収するインクミスト回収用フィルタを着脱自在に取り付けたために、上記した第１の発明の効果が得られる他に、このインクミスト回収用フィルタによりインクミスト吸引用ダクトのダクト孔内に吸引されたインクミストを回収することができる。
【００２３】
また、第４の発明のインクジェット記録装置によると、ダクト孔の側面の外側に、インクミストを回収するインクミスト回収用フィルタを着脱自在に取り付けたために、上記した第２の発明の効果が得られる他に、このインクミスト回収用フィルタにより各インクミスト通路を通ったインクミストをインクミスト吸引用ダクトのダクト孔内に吸引される前に回収することができると共に、インクミスト回収用フィルタを容易に着脱することができる。
【００２４】
また、第５の発明のインクジェット記録装置によると、複数のインク色に対応したヘッドブロックが主走査方向に設けられ、さらに、ヘッドブロックが副走査方向に間隔を離してライン上に複数設けられたインクジェットヘッドを用いた場合に、とくに、ヘッドブロックの主走査方向側面の側方に、複数のノズルからインク滴以外に吐出されたインクミストが通過可能に形成されたヘッドホルダと、ヘッドホルダのインクミスト流れ方向の下流側に形成され、インクミストを吸引するインクミスト吸引用ダクトと、を備えているので、インクミストをインクミスト吸引用ダクトで吸引することができる。
【図面の簡単な説明】
【００２５】
【図１】（ａ），（ｂ）は本発明に係る実施例のインクジェット記録装置の全体構成を示した全体構成図である。
【図２】本発明に係る実施例のインクジェット記録装置において、図１に示したヘッドホルダのヘッド取り付け面を取り除いた状態でインクミスト吸引機構部を摸式的に示した斜視図である。
【図３】（ａ），（ｂ）は実施例のインクミスト吸引機構部を一部変形させた変形例のインクミスト吸引機構部を採用した変形例のインクジェット記録装置の全体構成を示した全体構成図である。
【図４】従来のインクジェット記録装置を示した斜視図である。
【図５】図４に示したフルラインタイプの記録ヘッドをヘッドホルダのヘッド取り付け面に複数取り付けたときに、記録ヘッドの吐出面からインク滴とインクミストとが吐出する状態を示した図である。
【発明を実施するための形態】
【００２６】
以下に本発明に係るインクジェット記録装置の一実施例について、図１〜図３を参照して詳細に説明する。
【実施例】
【００２７】
図１（ａ），（ｂ）に示した如く、本発明に係る実施例のインクジェット記録装置１０では、複数のライン型インクジェットヘッド２０を用いて、印刷データをカラーで記録紙ＰＡ上に少なくとも１ライン以上一括して高速度にフルライン記録できるように構成されている。
【００２８】
上記したライン型インクジェットヘッド２０は、複数色のインクに対応して各色ごとに設けられており、この実施例では、インクジェット記録装置１０内に入力された印刷データをカラーで記録（印刷）するための複数色のインクの一例として、Ｃ（シアン），Ｋ（ブラック），Ｍ（マゼンタ），Ｙ（イエロー）が用いられ、この実施例ではＣ，Ｋ，Ｍ，Ｙの順に記録（印刷）されるために、Ｃ，Ｋ，Ｍ，Ｙの各インク色に対応して複数のライン型インクジェットヘッド２０Ｃ，２０Ｋ，２０Ｍ，２０Ｙが記録紙ＰＡの搬送方向（矢印Ｘ１方向）に対して図示左方から右方に向かってヘッドホルダ２２のヘッド取り付け面２２ａに取り付けられることで、Ｃ，Ｋ，Ｍ，Ｙの各インク色が重ね書きできるようになっている。
【００２９】
この際、ヘッドホルダ２２のヘッド取り付け面２２ａに取り付けられた複数のライン型インクジェットヘッド２０Ｃ，２０Ｋ，２０Ｍ，２０Ｙは、全て同一構造で構成されているので、以下の説明では、一のライン型インクジェットヘッド２０について説明する。
【００３０】
上記した一のライン型インクジェットヘッド２０は、インクジェット方式によりインク滴ＩＫを吐出させる複数のノズル２１ｎを記録紙ＰＡへの主走査方向（Ｙ軸方向）となるライン方向に有するヘッドブロック２１が二次元的に複数配置されている。
【００３１】
この実施例では、ヘッドブロック２１が、主走査方向（Ｙ軸方向）に対応した一のライン上に沿って複数配置され、且つ、主走査方向（Ｙ軸方向）に対して直交する副走査方向（Ｘ軸方向）に計２ラインに分けて配置されており、且つ、各ヘッドブロック２１が配置された隣り合うライン間は所定のピッチＰに設定されていると共に、隣り合うラインで各ヘッドブロック２１が一部重なり合うように互い違いに千鳥状に配置されている。
【００３２】
この際、二次元的に複数配置されたヘッドブロック２１は、各ラインに沿って図示の都合上例えば３個づつ千鳥状に配置されているが、一のライン上の数量は３個に限定されるものではない。
【００３３】
そして、一のライン型インクジェットヘッド２０が各インク色ごとに繰り返して配置されているので、複数のライン型インクジェットヘッド２０Ｃ，２０Ｋ，２０Ｍ，２０Ｙをヘッドホルダ２２の取り付け面２２ａに取り付けたときに、複数のヘッドブロック２１が合計で８ラインに亘って上記した所定のピッチＰで略等間隔に配置されている。
【００３４】
そして、印刷データに応じて複数のヘッドブロック２１にそれぞれ設けた複数のノズル２１ｎから主滴となるインク滴ＩＫを記録紙ＰＡ上に向けて選択的に吐出させる場合に、インクジェット方式では、例えば１インチ当たり３００個の解像度（３００ｄｐｉ）で主走査方向（Ｙ軸方向）に沿って形成された各ノズル２１ｎと対応して設けられた各ピエゾ素子に駆動信号を印加して振動板を変位させてインク溜室内のインクをノズル２１ｎから吐出させるピエゾ方式や、静電ギャップに駆動信号を印加して振動板を変位させてインク溜室内のインクをノズル２１ｎから吐出させる静電方式や、インク溜室内の微小ヒータでインクを加熱して膜沸騰状態となって生じた気泡による圧力変化でインクをノズル２１ｎから吐出させる膜沸騰インクジェット方式などがあり、本発明ではいずれの方式を用いても良い。
【００３５】
更に、記録紙ＰＡを搬送する記録紙搬送部３０は、複数のライン型インクジェットヘッド２０Ｃ，２０Ｋ，２０Ｍ，２０Ｙの下方に設けられている。
【００３６】
上記した記録紙搬送部３０は、複数のエアー吸引孔３１ａを略等間隔で貫通して形成した帯状のベルトプラテン３１と、帯状のベルトプラテン３１を掛け渡すための第１〜第３プーリ３２〜３４と、帯状のベルトプラテン３１を回転させるために第１プーリ３２に連結したモータ３５と、ベルトプラテン３１に形成した複数のエアー吸引孔３１ａからエアーを吸引するサクションボックス３６とで構成されている。
【００３７】
そして、帯状のベルトプラテン３１上に例えばＡ４サイズ又はＡ３サイズの記録紙ＰＡを搭載したときに、この記録紙ＰＡをベルトプラテン３１に形成した複数のエアー吸引孔３１ａからエアーを吸引して、記録紙ＰＡをベルトプラテン３１上に固定した状態でベルトプラテン３１の回転より記録紙ＰＡを矢印Ｘ１方向に搬送しながら複数のライン型インクジェットヘッド２０Ｃ，２０Ｋ，２０Ｍ，２０Ｙにより印刷データをカラーで印刷できるようになっている。
【００３８】
尚、複数色のインクを印刷する場合には、記録紙ＰＡをベルトプラテン３１を介してＸ軸方向に往復動させて、各インク色ごとに記録紙ＰＡを初期位置まで戻した後に記録紙ＰＡを矢印Ｘ１方向に繰り返して搬送すれば良いものである。
【００３９】
ここで、ライン型インクジェットヘッド２０に設けた複数のヘッドブロック２１の各ノズル２１ｎから主滴となるインク滴ＩＫを記録紙ＰＡ上に向けて吐出させる際に、主滴以外に吐出された霧状のインクミストＩＭを吸引するためのインクミスト吸引機構部４０について、図１及び図２を併用して説明する。
【００４０】
尚、図２中では図１に示したヘッドホルダ２２のヘッド取り付け面２２ａを取り除いた状態でインクミスト吸引機構部４０を模式的に示している。
【００４１】
図１及び図２に示した如く、この実施例の要部を構成するインクミスト吸引機構部４０では、複数のヘッドブロック２１をヘッドホルダ２２の取り付け面２２ａに合計で８ラインに亘って所定のピッチＰで配置させた際に、隣り合うライン上に配置された各ヘッドブロック２１の間に、複数のヘッドブロック２１の各ノズル２２ｎからインク滴ＩＫ以外に吐出されインクミストＩＭを通過させるためのインクミスト通路ＩＭＴが通路幅Ｗに設定されて各ラインに沿って形成されていると共に、左右両端のライン上に配置された複数のヘッドブロック２１の端側の側面の側方にもインクミスト通路ＩＭＴが左右両端のラインに沿って形成されている。
【００４２】
従って、ヘッドホルダ２２上には、主走査方向に沿ったヘッドブロック２１が４色のインク色に対応して副走査方向に間隔を離して配列された８ライン上に配置され、且つ、各インク色に対応したヘッドブロック２１の一方の主走査方向側面２１ａの側方及び一方の主走査方向側面２１ａとは反対側の他方の主走査方向側面２１ｂの側方にインクミスト通路ＩＭＴが形成されているので、インクミスト通路ＩＭＴは図１で示すように合計で９通路形成されていることになる。
【００４３】
また、複数のヘッドブロック２１の各ノズル２２ｎから吐出されたインクミストＩＭを吸引するためのインクミスト吸引用ダクト４１は、矩形状で長尺に形成されたダクト孔４１ａ｛図１（ａ）のみ図示｝と、複数のインクミスト吸引孔４１ｃとを有している。
【００４４】
上記したインクミスト吸引用ダクト４１は、ダクト孔４１ａが複数のインクミスト通路ＩＭＴのインクミスト流れ方向の下流側に各ラインと直交して設置されており、且つ、各インクミスト通路ＩＭＴと対向するダクト孔４１ａの側面４１ｂ（以下、ダクト側面と記す）のみにインクミスト吸引孔４１ｃが各インクミスト通路ＩＭＴと対向してそれぞれ矩形状に形成されていると共に、ダクト側面４１ｂのうちで複数のヘッドブロック２１と対向する部位は閉鎖されている。
【００４５】
従って、インクミスト吸引用ダクト４１のダクト側面４１ｂに形成した複数のインクミスト吸引孔４１ｃは、これらのインクミスト吸引孔４１ｃと対向する複数のインクミスト通路ＩＭＴを通ったインクミストＩＭをインクミスト吸引用ダクト４１のダクト孔４１ａ内に吸い込ませることができるようになっている。
【００４６】
尚、この実施例では、インクミスト吸引孔４１ｃがインクミスト吸引用ダクト４１のダクト側面４１ｂのうちで各インクミスト通路ＩＭＴと対向する部位にそれぞれ形成されているが、これに限るにことなく、ダクト側面４１ｂに少なくとも一つ以上のインクミスト吸引孔４１ｃが形成されていれば良いものである。
【００４７】
この際、インクミスト吸引用ダクト４１は、ヘッドホルダ２２のライン方向の一端側にこのヘッドホルダ２２と一体に形成する方法と、ヘッドホルダ２２とは別体に形成してヘッドホルダ２２のライン方向の一端側に位置決めして取り付ける方法のどちらの方法でも良いものの、ヘッドホルダ２２と一体に形成した方が各インクミスト通路ＩＭＴと対向する各インクミスト吸引孔４１ｃに対して位置出しが容易である。
【００４８】
更に、上記した配置関係により、インクミスト吸引用ダクト４１は、ヘッドホルダ２２のライン方向の一端側に記録紙ＰＡの搬送方向（矢印Ｘ１方向）と略平行に設置されていることになるが、このインクミスト吸引用ダクト４１のうちで記録紙搬送方向先端部４１ｄ側に、インクミスト吸引部としてインクミストＩＭを回収するためのインクミスト回収用フィルタ４２と、インクミストＩＭを吸引するためのインクミスト吸引用ファン４３とがブラケット４４（図１のみ図示）を介して着脱可能に取り付けられている。
【００４９】
この際、インクミスト吸引用ダクト４１の記録紙搬送方向先端部４１ｄとインクミスト吸引用ファン４３との間に着脱自在に取り付けたインクミスト回収用フィルタ４２は、後述するように、インクミスト吸引用ファン４３によってインクミスト吸引用ダクト４１のダクト孔４１ａ内に吸引されたインクミストＩＭを回収することができるようになっている。
【００５０】
尚、インクミスト吸引用ダクト４１の記録紙搬送方向先端部４１ｄとは反対側の記録紙搬送方向後端部４１ｅは開いた状態、又は、閉じた状態のいずれでも良いものである。
【００５１】
上記のように構成した実施例のインクミスト吸引機構部４０において、インクミスト吸引用ダクト４１の録紙搬送方向先端部４１ｄ側に取り付けたインクミスト吸引用ファン４３を動作させると、インクミスト吸引用ダクト４１のダクト孔４１ａ内の空気が矢印Ａ方向に向かって外部に排出されるために、ダクト孔４１ａ内が負圧状態になる。
【００５２】
そして、インクミスト吸引用ダクト４１のダクト孔４１ａ内が負圧状態になると、インクミスト吸引用ダクト４１のダクト側面４１ｂのみに形成された各インクミスト吸引孔４１ｃの外側の空気をインクミスト吸引用ダクト４１のダクト孔４１ａ内に吸い込む作用が発生するので、複数のヘッドブロック２１の各ノズル２２ｎから吐出されて各インクミスト通路ＩＭＴを通ったインクミストＩＭはインクミスト吸引用ダクト４１のダクト側面４１ｂに形成された各インクミスト吸引孔４１ｃからダクト孔４１ａ内に吸い込まれて、インクミスト吸引用ダクト４１の録紙搬送方向先端部４１ｄ側に取り付けたインクミスト回収用フィルタ４２で回収され、この後、インクミスト回収用フィルタ４２を通過した残りがインクミスト吸収用ファン４３により矢印Ａ方向に向かって外部に排出される。
【００５３】
従って、実施例のインクジェット記録装置１０によれば、インクジェット方式によりインク滴ＩＫを吐出させる複数のノズル２１ｎを記録紙ＰＡへの主走査方向となるライン方向に有するヘッドブロック２１が複数のインク色に対応して副走査方向に間隔を離して配列された複数のライン上にそれぞれ取り付けられ、且つ、隣り合うライン上に配置された各ヘッドブロック２１の間及び両端のライン上に配置された各ヘッドブロック２１の端側の側面の側方に、複数のノズル２１ｎからインク滴ＩＫ以外に吐出されたインクミストＩＭを通過させるインクミスト通路ＩＭＴが各ラインに沿って複数形成されたヘッドホルダ２２と、複数のインクミスト通路ＩＭＴのインクミスト流れ方向の下流側に各ラインと直交して長尺なダクト孔４１ａが設置され、且つ、複数のインクミスト通路ＩＭＴと対向するダクト孔４１ａの側面４１ｂに少なくとも一つ以上のインクミスト吸引孔４１ｃが形成されたインクミスト吸引用ダクト４１と、インクミスト吸引用ダクト４１のうちで記録紙搬送方向先端部４１ｄ側に取り付けられ、且つ、複数のインクミスト通路ＩＭＴを通ったインクミストＩＭを少なくとも一つ以上のインクミスト吸引孔４１ｃを介してダクト孔４１ａ内に吸引させるインクミスト吸引用ファン４３と、を備えているために、複数のヘッドブロック２１をヘッドホルダ２２に取り付けた場合でも、インクミスト吸引用ファン４３の吸引力により複数のヘッドブロック２１の各ノズル２２ｎからインク滴ＩＫ以外に吐出されたインクミストＩＭを複数のインクミスト通路ＩＭＴを通してインクミスト吸引用ダクト４１のダクト孔４１ａ内に吸引することができ、且つ、インクミスト吸引用ダクト４１及びインクミスト吸引用ファン４３はそれぞれ１個設ければ良いので、実施例のインクミスト吸引機構部４０を簡単な構造で小型化することができると共に、実施例のインクジェット記録装置１０を安価に提供することができる。
【００５４】
次に、実施例のインクミスト吸引機構部４０を一部変形させた変形例のインクミスト吸引機構部４０’を採用した変形例のインクジェット記録装置１０’について、図３を用いて簡略に説明する。
【００５５】
図３に示した如く、変形例のインクジェット記録装置１０’は、変形例のインクミスト吸引機構部４０’を採用した点だけが実施例に対して異なっているだけであるので、実施例と同一の構成部材に対して同一の符号を付して図示のみとし、実施例に対して異なる構成部材に新たな符号を付して異なる点を中心にして説明する。
【００５６】
上記した変形例のインクミスト吸引機構部４０’では、インクミスト吸引用ダクト４１の記録紙搬送方向先端部４１ｄにインクミスト回収用フィルタを取り付けることなく、この記録紙搬送方向先端部４１ｄにインクミスト吸引用ファン４３をブラケット４５を介して取り付けている。
【００５７】
また、インクミスト吸引用ダクト４１のうちで各インクミスト通路ＩＭＴと対向するダクト孔４１ａの側面（ダクト側面）４１ｂのみに複数のインクミスト吸引孔４１ｃがそれぞれ矩形状に穿設されている点は実施例と同じであるが、インクミスト吸引用ダクト４１のダクト側面４１ｂの外側に沿ってインクミストＩＭを回収するためのインクミスト回収用フィルタ４６が両面テープなどを用いて着脱可能に取り付けられており、このインクミスト回収用フィルタ４６はインクミスト吸引用ダクト４１のダクト側面４１ｂに穿設された複数のインクミスト吸引孔４１ｃを覆っている。
【００５８】
上記のように構成した変形例のインクミスト吸引機構部４０’において、インクミスト吸引用ダクト４１の録紙搬送方向先端部４１ｄ側に取り付けたインクミスト吸引用ファン４３を動作させると、各インクミスト通路ＩＭＴを通ったインクミストＩＭがインクミスト回収用フィルタ４６で回収された後に、インクミスト回収用フィルタ４６を通過した残りがインクミスト吸引用ダクト４１のダクト側面４１ｂに穿設された各インクミスト吸引孔４１ｃからインクミスト吸引用ダクト４１のダクト孔４１ａ内に入り込み、インクミスト吸収用ファン４３により矢印Ａ方向に向かって外部に排出される。
【００５９】
従って、変形例のインクジェット記録装置１０’でも実施例と略同様に、変形例のインクミスト吸引機構部４０’を簡単な構造で小型化することができると共に、各インクミスト通路ＩＭＴを通ったインクミストＩＭをインクミスト吸引用ダクト４１のダクト孔４１ａ内に吸引される前に回収することができると共に、インクミスト回収用フィルタ４６を容易に着脱することができる。
【００６０】
尚、実施例のインクミスト吸引機構部４０及び変形例のインクミスト吸引機構部４０’において、インクミスト吸引用ダクト４１の記録紙搬送方向先端部４１ｄにインクミスト吸引用ファン４３を取り付けずに、記録紙搬送方向先端部４１ｄとは反対側の記録紙搬送方向後端部４１ｅにインクミスト送風用ファン（図示せず）を仮に取り付けた場合には、このインクミスト送風用ファン（図示せず）からインクミスト吸引用ダクト４１のダクト孔４１ａ内に向かって送り出された空気がインクミスト吸引用ダクト４１のダクト側面４１ｂに形成した各インクミスト吸引孔４１ｃから各インクミスト通路ＩＭＴ側に向かって放出されてしまうために、各インクミスト通路ＩＭＴを通ったインクミストＩＭがインクミスト吸引用ダクト４１のダクト側面４１ｂに形成した各インクミスト吸引孔４１ｃ内に吸引されないために、インクミスト送風用ファン（図示せず）は使用不能であることが判明した。
【００６１】
尚また、上記したインクジェット記録装置１０，１０’では、粘性を有する液剤としてインクＩＫを用いた例について説明したが、粘性を有する液剤としてクリーム半田や接着剤などにも適用可能である。
【符号の説明】
【００６２】
１０…実施例のインクジェット記録装置、
１０’…変形例のインクジェット記録装置、
２０（２０Ｃ，２０Ｋ，２０Ｍ，２０Ｙ）…ライン型インクジェットヘッド、
２１…ヘッドブロック、２１ａ…一方の主走査方向側面、
２１ｂ…他方の主走査方向側面、２１ｎ…ノズル、
２２…ヘッドホルダ、２２ａ…ヘッド取り付け面、
３０…記録紙搬送部、３１…ベルトプラテン、３２〜３４…第１〜第３プーリ、
３５…モータ、３６…サクションボックス、
４０…実施例のインクミスト吸引機構部、
４０’…変形例のインクミスト吸引機構部、
４１…インクミスト吸引用ダクト、４１ａ…ダクト孔、４１ｂ…側面（ダクト側面）、
４１ｃ…インクミスト吸引孔、４１ｄ…記録紙搬送方向先端部、
４１ｅ…記録紙搬送方向後端部、
４２…インクミスト回収用フィルタ、４３…インクミスト吸引用ファン、
４４，４５…ブラケット、４６…インクミスト回収用フィルタ、
ＩＫ…インク滴、ＩＭ…インクミスト、ＩＭＴ…インクミスト通路、ＰＡ…記録紙、
Ｐ…各ヘッドブロックが配置された隣り合うライン間の所定のピッチ、
Ｗ…インクミスト通路の通路幅。
【図１】
2011020339.tif 000003
【図２】
2011020339.tif 000004
【図３】
2011020339.tif 000005
【図４】
2011020339.tif 000006
【図５】
2011020339.tif 000007